(57)【要約】  広告用の訪問課金型請求モデルを提供するための方法およびシステムが提供されている。広告システムは、関連の物理的訪問位置を有する広告を提供する。広告システムは、ユーザが訪問位置の付近にいるまたは訪問位置の付近の場所を調べているときにユーザのモバイル装置または固定されたものに広告を提供する。ユーザが、その場所に物理的に行くことによって広告の訪問位置をその後訪問する場合、広告システムは広告の代金として広告主に請求する。広告システムは、広告がなければユーザが訪問位置を訪問しなかったであろうという仮定の下で広告主に請求する。
2009532749.tif 000002
【特許請求の範囲】
【請求項１】
モバイル装置に広告を提供するためのコンピュータシステム内の方法であって、
モバイル装置のために広告を選択することであって、前記広告は訪問位置を有する、選択することと、
前記モバイル装置に前記広告を提供することと、
前記モバイル装置の位置の表示を前記モバイル装置から受信することであって、前記示された位置は、前記モバイル装置が前記訪問位置から送信された識別情報メッセージを受信することの少なくとも一部に基づいて前記モバイル装置によって決定される、受信することと、
前記モバイル装置の前記示された位置が前記訪問位置への訪問に対応することが決定された後に前記広告を提供することの代金として請求することと
を備えることを特徴とする方法。
【請求項２】
広告主は、訪問が時間ベースの訪問期間内に生じるときに請求されることを特徴とする請求項１に記載の方法。
【請求項３】
前記モバイル装置は、全地球測位サービスを使用することの一部に基づいて前記示された位置をさらに決定することを特徴とする請求項１に記載の方法。
【請求項４】
前記モバイル装置は、地上無線ネットワークを使用することの一部に基づいて前記示された位置をさらに決定することを特徴とする請求項１に記載の方法。
【請求項５】
前記訪問位置は点位置であり、前記モバイル装置は、それが前記訪問位置の近くにいるときに訪問することを特徴とする請求項１に記載の方法。
【請求項６】
前記訪問位置は地域であり、前記モバイル装置は、それが前記地域内にいるときに訪問することを特徴とする請求項１に記載の方法。
【請求項７】
位置ベースの照会を前記モバイル装置から受信することをさらに備え、前記広告は前記位置ベースの照会の位置に基づいて選択されることを特徴とする請求項１に記載の方法。
【請求項８】
示された前記広告の前記訪問位置を有する地図を前記モバイル装置に提供することをさらに備えることを特徴とする請求項７に記載の方法。
【請求項９】
モバイル装置に広告を提供するためのシステムであって、
訪問位置に関連した広告を提供する広告ストアと、
前記広告ストアからモバイル装置のために広告を選択する広告選択構成要素と、
前記選択された広告を前記モバイル装置に提供する構成要素と、
前記モバイル装置が、前記広告を提供されている訪問期間内に前記提供された広告の前記訪問位置を訪問したことを検出する調整構成要素であって、前記検出することは、識別情報メッセージが前記モバイル装置と前記訪問位置との間で交換されていることの少なくとも一部に基づいている、調整構成要素と、
前記モバイル装置が前記訪問期間内に前記広告の前記訪問位置を訪問したことが検出されるときに前記広告を提供することの代金として請求する請求構成要素と
を備えることを特徴とするシステム。
【請求項１０】
前記請求構成要素は、前記訪問が前記訪問期間内でないときに前記広告を提供することの代金として請求しないことを特徴とする請求項９に記載のシステム。
【請求項１１】
前記広告は関連の連絡先住所を有し、前記請求構成要素は、前記モバイル装置が前記連絡先住所に通信を送信するときに前記広告を提供することの代金として請求することを特徴とする請求項９に記載のシステム。
【請求項１２】
前記連絡先住所は電話番号であることを特徴とする請求項１１に記載のシステム。
【請求項１３】
前記請求構成要素は、前記訪問位置への複数の訪問が前記訪問期間内に生じるおよび／または前記広告に関連した住所への複数の呼が呼期間内に生じる場合でも１回だけ前記広告主に請求することを特徴とする請求項９に記載のシステム。
【請求項１４】
前記調整構成要素は前記モバイル装置上に存在し、前記モバイル装置は支払うべき訪問の表示をサーバシステムに送信することを特徴とする請求項９に記載のシステム。
【請求項１５】
前記識別情報メッセージは、前記モバイル装置が前記広告に関係する取引を行うために使用されるときに交換されることを特徴とする請求項１４に記載のシステム。
【請求項１６】
前記モバイル装置は前記取引の代金を支払うために使用されることを特徴とする請求項１５に記載のシステム。
【請求項１７】
前記識別情報メッセージは、前記モバイル装置と前記訪問位置での位置ビーコンとの間で無線で送信されることを特徴とする請求項９に記載のシステム。
【請求項１８】
前記訪問位置は、前記無線伝送が首尾よく完了されることができる範囲によって定義される地域であることを特徴とする請求項１７に記載のシステム。
【請求項１９】
前記位置ビーコンは前記識別情報メッセージを前記モバイル装置に送信し、前記識別情報メッセージは前記訪問位置に関連していることを特徴とする請求項１７に記載のシステム。
【請求項２０】
前記モバイル装置は前記識別情報メッセージを前記位置ビーコンに送信し、前記識別情報メッセージは前記モバイル装置に関連していることを特徴とする請求項１７に記載のシステム。
【請求項２１】
前記モバイル装置の前記位置を様々な時間に受信し、前記調整構成要素によって使用されるために前記位置および時間を格納する移動追跡構成要素をさらに備えることを特徴とする請求項９に記載のシステム。
【請求項２２】
前記モバイル装置は、全地球測位サービスを使用してその位置を決定することを特徴とする請求項２１に記載のシステム。
【請求項２３】
前記モバイル装置は、地上無線ネットワークを使用してその位置を決定することを特徴とする請求項２１に記載のシステム。
【請求項２４】
前記訪問位置は点位置であり、前記モバイル装置は、前記モバイル装置が前記訪問位置の近くにいるときに前記訪問位置を訪問することを特徴とする請求項９に記載のシステム。
【請求項２５】
前記訪問位置は地域であり、前記モバイル装置は、前記モバイル装置が前記地域内にいるときに前記訪問位置を訪問することを特徴とする請求項９に記載のシステム。
【請求項２６】
位置に基づいた照会を前記モバイル装置から受信する検索構成要素をさらに備え、前記広告選択構成要素は前記照会の前記位置に基づいて前記広告を選択することを特徴とする請求項９に記載のシステム。
【請求項２７】
前記検索構成要素は、示された前記広告の前記訪問位置を有する地図を前記モバイル装置に提供することを特徴とする請求項２６に記載のシステム。
【請求項２８】
ユーザから照会を受信し、前記照会および照会位置をサービスに提供する照会構成要素と、
前記照会および前記照会位置に基づいて照会結果を表す地図を前記サービスから受信する地図構成要素であって、前記照会結果は訪問位置を有する広告を含む、地図構成要素と、
前記サービスが、前記モバイル装置が前記受信された広告の前記訪問位置を訪問するかどうかを検出することができるように様々な時間に前記モバイル装置の前記サービス位置に送信する位置構成要素と
を備えることを特徴とするモバイル装置。
【請求項２９】
前記地図および前記広告は前記モバイル装置上に表示されることを特徴とする請求項２８に記載のモバイル装置。
【請求項３０】
前記照会位置は、前記照会が前記ユーザから受信される前記時間での前記モバイル装置の前記位置であることを特徴とする請求項２８に記載のモバイル装置。
【請求項３１】
前記照会位置は前記ユーザから受信されることを特徴とする請求項２８に記載のモバイル装置。
【請求項３２】
前記照会構成要素は、前記照会に関連した照会時間を前記サービスに提供することを特徴とする請求項２８に記載のモバイル装置。
【請求項３３】
前記照会時間はユーザによって規定されることを特徴とする請求項３２に記載のモバイル装置。
【請求項３４】
前記照会時間は、前記照会が受信された前記時間を示すことを特徴とする請求項３２に記載のモバイル装置。
【請求項３５】
前記照会時間は、前記ユーザが前記照会の結果を使用することになる前記ユーザによって示される今後の時間であることを特徴とする請求項３２に記載のモバイル装置。
【請求項３６】
前記照会位置は、前記ユーザによって選択されることを特徴とする請求項２８に記載のモバイル装置。
【請求項３７】
前記照会位置は、前記モバイル装置の物理的位置であることを特徴とする請求項２８に記載のモバイル装置。
【請求項３８】
広告主のために訪問課金型アカウントを生成するためのシステムであって、
アカウント情報および訪問位置を前記広告主から受信する構成要素と、
前記広告主と無関係に前記訪問位置に関連した電話番号を識別する構成要素と、
前記電話番号に電話をかけ、前記アカウントの開設を確認するために応答者にプロンプトする構成要素と、
前記開設が確認されるときに前記アカウントの生成を完了する構成要素と
を備えることを特徴とするシステム。
【請求項３９】
確認コードを提供する構成要素をさらに備え、前記電話をかける前記構成要素は前記確認コードに関して前記応答者にプロンプトすることを特徴とする請求項３８に記載のシステム。
【請求項４０】
前記確認コードを生成することを特徴とする請求項３９に記載のシステム。
【請求項４１】
前記開設が確認されないときに前記アカウントは生成されないことを特徴とする請求項３８に記載のシステム。
【請求項４２】
前記モバイル装置が前記広告主の広告を提供された後に前記訪問位置へのモバイル装置の訪問の代金として前記広告主に請求する構成要素をさらに備えることを特徴とする請求項３８に記載のシステム。
【請求項４３】
モバイル装置に広告を提供するためのコンピュータシステム内の方法であって、
モバイル装置のために広告を選択することであって、前記広告は点位置である訪問位置を有し、前記モバイル装置は、それが前記訪問位置の近くにいるときに前記訪問位置を訪問する、選択することと、
前記広告を前記モバイル装置に提供することと、
前記モバイル装置が前記訪問位置を訪問することが検出されるときに前記広告を提供することの代金として請求することと
を備えることを特徴とする方法。
【請求項４４】
広告主は、前記訪問が時間ベースの訪問期間内に生じるときに請求されることを特徴とする請求項４３に記載の方法。
【請求項４５】
前記モバイル装置は、その位置を前記コンピュータシステムに提供することを特徴とする請求項４３に記載の方法。
【請求項４６】
前記モバイル装置は、全地球測位システムを使用してその位置を決定することを特徴とする請求項４５に記載の方法。
【請求項４７】
前記モバイル装置は、地上無線ネットワークを使用してその位置を決定することを特徴とする請求項４５に記載の方法。
【請求項４８】
前記モバイル装置は、前記訪問位置から送信された識別情報メッセージを受信することによってその位置を決定することを特徴とする請求項４５に記載の方法。
【請求項４９】
位置ベースの照会を前記モバイル装置から受信することをさらに備え、前記広告は前記位置ベースの照会の位置に基づいて選択されることを特徴とする請求項４３に記載の方法。
【請求項５０】
示された前記広告の前記訪問位置を有する地図を前記モバイル装置に提供することをさらに備えることを特徴とする請求項４９に記載の方法。
【請求項５１】
広告をモバイル装置に提供するためのシステムであって、
訪問位置に関連した広告を提供する広告ストアと、
前記広告ストアからモバイル装置のために広告を選択する広告選択構成要素と、
前記選択された広告を前記モバイル装置に提供する構成要素と、
前記モバイル装置が前記広告を提供されている訪問期間内に前記提供された広告の前記訪問位置を訪問したことを検出する調整構成要素であって、前記訪問位置は点位置であって、前記モバイル装置は、前記モバイル装置が前記訪問位置の近くにいるときに前記訪問位置を訪問する、調整構成要素と、
前記モバイル装置が前記訪問期間内に前記広告の前記訪問位置を訪問したことが検出されるときに前記広告を提供することの代金として請求する請求構成要素と
を備えることを特徴とするシステム。
【請求項５２】
前記請求構成要素は、訪問が前記訪問期間内でないときに前記広告を提供することの代金として請求しないことを特徴とする請求項５１に記載のシステム。
【請求項５３】
前記広告は関連の連絡先住所を有し、前記請求構成要素は、前記モバイル装置が前記連絡先住所に通信を送信するときに前記広告を提供することの代金を請求することを特徴とする請求項５１に記載のシステム。
【請求項５４】
前記連絡先住所は電話番号であることを特徴とする請求項５３に記載のシステム。
【請求項５５】
前記請求構成要素は、前記訪問位置への複数の訪問が前記訪問期間内に生じるおよび／または前記広告に関連した住所への複数の呼が呼期間内に生じる場合でも１度だけ前記広告主に請求することを特徴とする請求項５１に記載のシステム。
【請求項５６】
前記調整構成要素は前記モバイル装置上に存在し、前記モバイル装置は支払うべき訪問の表示をサーバシステムに送信することを特徴とする請求項５１に記載のシステム。
【請求項５７】
前記調整構成要素は、前記モバイル装置が前記広告に関係する取引を行う間に使用されるときに支払うべき訪問を検出することを特徴とする請求項５６に記載のシステム。
【請求項５８】
前記モバイル装置は、前記取引の代金を支払うために使用されることを特徴とする請求項５７に記載のシステム。
【請求項５９】
前記調整構成要素は、識別情報メッセージが前記モバイル装置と前記訪問位置との間で交換されるときに支払うべき訪問を検出することを特徴とする請求項５１に記載のシステム。
【請求項６０】
前記識別情報メッセージは、前記モバイル装置と前記訪問位置での位置ビーコンとの間で無線で送信されることを特徴とする請求項５９に記載のシステム。
【請求項６１】
前記位置ビーコンは前記識別情報メッセージを前記モバイル装置に送信し、前記識別情報メッセージは前記訪問位置に関連していることを特徴とする請求項６０に記載のシステム。
【請求項６２】
前記モバイル装置は前記識別情報メッセージを前記位置ビーコンに送信し、前記識別情報メッセージは前記モバイル装置に関連していることを特徴とする請求項６０に記載のシステム。
【請求項６３】
前記モバイル装置の前記位置を様々な時間に受信し、前記調整構成要素によって使用されるために前記位置および時間を格納する移動追跡構成要素をさらに備えることを特徴とする請求項５１に記載のシステム。
【請求項６４】
前記モバイル装置は、全地球測位サービスを使用してその位置を決定することを特徴とする請求項６３に記載のシステム。
【請求項６５】
前記モバイル装置は、地上無線ネットワークを使用してその位置を決定することを特徴とする請求項６４に記載のシステム。
【請求項６６】
位置ベースの照会を前記モバイル装置から受信する検索構成要素をさらに備え、前記広告選択構成要素は前記位置ベースの照会の位置に基づいて前記広告を選択することを特徴とする請求項５１に記載のシステム。
【請求項６７】
前記検索構成要素は、示された前記広告の前記訪問位置を有する地図を前記モバイル装置に提供することを特徴とする請求項６６に記載のシステム。
【請求項６８】
モバイル装置に広告を提供するためのコンピュータシステム内の方法であって、
モバイル装置のために広告を選択することであって、前記広告は訪問位置を有する、選択することと、
前記広告および地図を前記モバイル装置に提供することであって、前記地図は前記広告の前記訪問位置の表示を有する、提供することと、
前記モバイル装置が前記訪問位置を訪問することが検出されるときに前記広告を提供することの代金として請求することと
を備えることを特徴とする方法。
【請求項６９】
広告主は、訪問が時間ベースの訪問期間に生じるときに請求されることを特徴とする請求項６８に記載の方法。
【請求項７０】
前記モバイル装置はその位置を前記コンピュータシステムに提供することを特徴とする請求項６８に記載の方法。
【請求項７１】
前記モバイル装置は、全地球測位サービスを使用してその位置を決定することを特徴とする請求項７０に記載の方法。
【請求項７２】
前記モバイル装置は、地上無線ネットワークを使用してその位置を決定することを特徴とする請求項７０に記載の方法。
【請求項７３】
前記モバイル装置は、前記訪問位置から送信された識別情報メッセージを受信することによってその位置を決定することを特徴とする請求項７０に記載の方法。
【請求項７４】
前記訪問位置は点位置であり、前記モバイル装置は、それが前記訪問位置の近くにいるときに訪問することを特徴とする請求項６８に記載の方法。
【請求項７５】
前記訪問位置は地域であり、前記モバイル装置は、それが前記地域内にいるときに訪問することを特徴とする請求項６８に記載の方法。
【請求項７６】
位置ベースの照会を前記モバイル装置から受信することをさらに備え、前記広告は、前記位置ベースの照会の位置に基づいて選択されることを特徴とする請求項６８に記載の方法。
【請求項７７】
関連の位置を有する照会を前記モバイル装置から受信することをさらに備え、提供される前記地図は前記関連の位置の少なくとも一部に基づいていることを特徴とする請求項６８に記載の方法。
【請求項７８】
モバイル装置に広告を提供するためのシステムであって、
訪問位置に関連した広告を格納する広告記憶装置と、
位置ベースの照会をモバイル装置から受信する検索構成要素と、
前記位置ベースの照会の位置の少なくとも一部に基づいて前記広告記憶装置から前記モバイル装置のために広告を選択する広告選択構成要素と、
前記選択された広告および地図を前記モバイル装置に提供する構成要素であって、前記地図は、前記位置ベースの照会に関する前記位置を反映し、前記選択された広告の訪問位置を示す、構成要素と、
前記モバイル装置が前記広告を提供されている訪問期間内に前記提供された広告の前記訪問位置を訪問したことを検出する調整構成要素と、
前記モバイル装置が前記訪問期間内に前記広告の前記訪問位置を訪問したことが検出されるときに前記広告を提供することの代金として請求する請求構成要素と
を備えることを特徴とするシステム。
【請求項７９】
前記請求構成要素は、訪問が前記訪問期間内でないときに前記広告を提供することの代金として請求しないことを特徴とする請求項７８に記載のシステム。
【請求項８０】
前記広告は関連の連絡先住所を有し、前記請求構成要素は、前記モバイル装置が前記連絡先住所に通信を送信するときに前記広告を提供することの代金として請求することを特徴とする請求項７８に記載のシステム。
【請求項８１】
前記連絡先住所は電話番号であることを特徴とする請求項８０に記載のシステム。
【請求項８２】
前記請求構成要素は、前記訪問位置への複数の訪問が前記訪問期間内に生じるおよび／または前記広告に関連した住所への複数の呼が呼期間内に生じる場合でも１度だけ前記広告主に請求することを特徴とする請求項７８に記載のシステム。
【請求項８３】
前記調整構成要素は前記モバイル装置上に存在し、前記モバイル装置は支払うべき訪問の表示をサーバシステムに送信することを特徴とする請求項７８に記載のシステム。
【請求項８４】
前記調整構成要素は、前記モバイル装置が前記広告に関係する取引を行う間に使用されるときに支払うべき訪問を検出することを特徴とする請求項８３に記載のシステム。
【請求項８５】
前記モバイル装置が前記取引の代金を支払うために使用されることを特徴とする請求項８４に記載のシステム。
【請求項８６】
前記調整構成要素は、識別情報メッセージが前記モバイル装置と前記訪問位置との間で交換されるときに支払うべき訪問を検出することを特徴とする請求項７８に記載のシステム。
【請求項８７】
前記識別情報メッセージは、前記モバイル装置と前記訪問位置での位置ビーコンとの間で無線で送信されることを特徴とする請求項８６に記載のシステム。
【請求項８８】
前記訪問位置は、前記無線伝送が首尾よく完了されることができる範囲によって定義される地域であることを特徴とする請求項８７に記載のシステム。
【請求項８９】
前記位置ビーコンは前記モバイル装置に前記識別情報メッセージを送信し、前記識別情報メッセージは前記訪問位置に関連していることを特徴とする請求項８７に記載のシステム。
【請求項９０】
前記モバイル装置は前記識別情報メッセージを前記位置ビーコンに送信し、前記識別情報メッセージは前記モバイル装置に関連していることを特徴とする請求項８７に記載のシステム。
【請求項９１】
前記モバイル装置の前記位置を様々な時間に受信し、前記調整構成要素によって使用されるために前記位置および時間を格納する移動追跡構成要素をさらに備えることを特徴とする請求項７８に記載のシステム。
【請求項９２】
前記モバイル装置は、全地球測位サービスを使用してその位置を決定することを特徴とする請求項９１に記載のシステム。
【請求項９３】
前記モバイル装置は、地上無線ネットワークを使用してその位置を決定することを特徴とする請求項９１に記載のシステム。
【請求項９４】
前記訪問位置は点位置であり、前記モバイル装置は、それが前記訪問位置の近くにいるときに訪問することを特徴とする請求項７８に記載のシステム。
【請求項９５】
前記訪問位置は地域であり、前記モバイル装置は、それが前記地域内にいるときに訪問することを特徴とする請求項７８に記載のシステム。
【発明の詳細な説明】
【背景技術】
【０００１】
ＧｏｏｇｌｅおよびＯｖｅｒｔｕｒｅなどの多くの検索エンジンサービスは、インターネットを介してアクセス可能である情報を検索することを提供する。これらの検索エンジンサービスによってユーザは、ユーザにとって興味のありうるウェブページ（ｗｅｂ  ｐａｇｅ）および他のインターネットアクセス可能なリソース（ｒｅｓｏｕｒｃｅ）を検索することができる。ユーザが検索語を含む検索要求をサブミット（ｓｕｂｍｉｔ）した後、検索エンジンサービスはそれらの検索語に関係しうるウェブページを識別する。関係したウェブページを迅速に識別するために検索エンジンサービスは、ウェブページへのキーワード（ｋｅｙｗｏｒｄ）のマッピング（ｍａｐｐｉｎｇ）を維持することができる。このマッピングは、各ウェブページのキーワードを識別するためにウェブ（すなわち、ワールドワイドウェブ（Ｗｏｒｌｄ  Ｗｉｄｅ  Ｗｅｂ））を「クロール（ｃｒａｗｌ）すること」によって生成されることができる。ウェブをクロールするために検索エンジンサービスは、それらのルートウェブページ（ｒｏｏｔ  ｗｅｂ  ｐａｇｅ）を介してアクセス可能であるすべてのウェブページを識別するためにルートウェブページのリスト（ｌｉｓｔ）を使用することができる。任意の特定のウェブページのキーワードが、見出しの語、ウェブページのメタデータ（ｍｅｔａｄａｔａ）内で供給される語、強調表示される語などを識別することなどの様々なよく知られた情報検索技術を使用して識別されることができる。
【０００２】
いくつかの検索エンジンサービスは、ユーザの位置に基づいて検索結果を調整しようとする。すなわち、この種の検索エンジンサービスは位置ベースの検索エンジンサービスと呼ばれる。位置ベースの検索エンジンサービスは、固定装置およびモバイル（ｍｏｂｉｌｅ）装置の位置に基づいてユーザにサービスを提供することができる。装置が固定であるとき、位置ベースの検索エンジンサービスは、固定装置の物理的位置を識別するためにインターネットプロトコル（Ｉｎｔｅｒｎｅｔ  ｐｒｏｔｏｃｏｌ）（「ＩＰ」）アドレスまたはドメイン（ｄｏｍａｉｎ）名を使用することができ、ユーザに位置を示すようにプロンプト（ｐｒｏｍｐｔ）することなどができる。装置がモバイルであるとき、位置ベースの検索エンジンサービスは、モバイル装置の位置を識別するためにモバイル装置の携帯電話塔の三角測量、モバイル装置によって提供されるＧＰＳ座標などを使用することができる。いくつかの位置ベースの検索エンジンサービスは、モバイル装置にそれらのサービスを提供することに重点を置く。これらの位置ベースの検索エンジンサービスは、ユーザが近くの目的地を捜し出す助けをするために地図を提供することができる。例えば、ユーザが検索語「レストラン（ｒｅｓｔａｕｒａｎｔ）」を入力するとき、検索エンジンサービスは、様々なレストランの位置の表示と共にユーザ周辺の地域の地図をモバイル装置に提供することができる。
【０００３】
いくつかの検索エンジンサービスは、検索結果内にそれらのウェブページへのリンク（ｌｉｎｋ）を含めることの代金としてウェブページのプロバイダ（ｐｒｏｖｉｄｅｒ）に手数料を請求しない。むしろ検索エンジンサービスは、検索結果と共に広告を掲載することによって収入を得る。これらの有料の広告は一般に「スポンサードリンク（ｓｐｏｎｓｏｒｅｄ  ｌｉｎｋ）」、「スポンサードマッチ（ｓｐｏｎｓｏｒｅｄ  ｍａｔｃｈ）」、または「課金型検索結果」と呼ばれる。ある種の検索結果と共に広告を掲載したいベンダ（ｖｅｎｄｏｒ）は、検索エンジンサービスに広告、金銭上の入札額、および検索語を提供する。検索要求が受信されるとき、検索エンジンサービスは、検索語が検索要求の検索語にもっとも厳密に一致する広告を識別する。次いで検索エンジンサービスは、検索結果と共にそれらの広告を表示する。典型的には検索エンジンサービスは、それらの広告に対して最高価格を支払うことを申し出ている（例えば、最高額の入札を行った）広告主に属するそれらの広告を表示するように選択する。検索エンジンサービスは、検索結果と共に各広告の掲載の代金として請求する（すなわち、インプレッション（ｉｍｐｒｅｓｓｉｏｎ）型課金請求モデル）、ユーザが広告に関連したリンクを実際に選択するときだけ請求する（すなわち、クリック（ｃｌｉｃｋ）課金型請求モデル）、またはユーザが広告内に表示された電話番号にかけるときだけ請求する（コール（ｃａｌｌ）課金型請求モデル）ことができる。
【０００４】
広告は、「プル（ｐｕｌｌ）」モデル（ｍｏｄｅｌ）または「プッシュ（ｐｕｓｈ）」モデルに基づいてユーザに提供されることができる。従来の検索結果に付随する広告は、広告が、ユーザが照会をサブミットすることに応答して提供され、したがって広告を「引き出す」という意味でプルモデルに従う。プッシュモデルの場合、広告はそれらの装置とのそれらの交信と無関係にユーザに提供される。具体的には、いくつかの広告システムはモバイル装置の位置を検出し、位置に適切な広告をそれらのモバイル装置に送信するまたは「押し出す」。例えば、広告システムは、１街区離れたコーヒー店が次の１０分後に半額でコーヒー飲料をそれらに販売することを示すショートメッセージサービス（ｓｈｏｒｔ  ｍｅｓｓａｇｅ  ｓｅｒｖｉｃｅ）（「ＳＭＳ」）メッセージをユーザのモバイル装置に送信することができる。典型的にはプッシュモデルおよびプルモデルは、適宜、インプレッション課金型請求モデルまたはクリック課金型請求モデルのいずれかを使用する。例えば、ＳＭＳメッセージを介して位置ベースの広告を送信する広告システムはインプレッション課金型請求モデルを使用することができるが、検索結果と共にスポンサードリンクを提供する広告システムはクリック課金型請求モデルを使用することができる。
【発明の開示】
【０００５】
広告に関する訪問課金型請求モデルを提供するための方法およびシステムが提供される。１つの実施形態では広告システムは、関連の物理的訪問位置を有する広告を提供する。広告の訪問位置は、広告主が広告を介して顧客を引き寄せようとしている物理的位置である。例えば、コーヒー店のための広告は、コーヒー店の地域を表す訪問位置を有することができる（例えば、その周辺部によって定義されるように）。典型的には広告システムは、ユーザが訪問位置の近くにいるときにユーザのモバイル装置に広告を提供する。例えば、ユーザは、モバイル装置の位置によって示されるそれらの現在位置付近内のコーヒー店を識別するために検索要求を入力することができる。広告システムは、コーヒー店に関する広告を含む検索結果をユーザのモバイル装置に提供することができる。ユーザが物理的にその位置に行くことによって広告の訪問位置をその後訪問する場合、広告システムは広告の代金として広告主に請求する。例えば、コーヒー店に関する広告を提供されたユーザがコーヒー店に行く場合、モバイル装置の位置に基づいて広告システムは、ユーザが広告の訪問位置を訪問したことを検出する。広告システムは、広告がなければユーザが訪問位置を訪問しなかったであろうという仮定の下で広告主に請求する。広告システムは、広告と訪問との間の関係を保証するために訪問に時間制限を加えることができる。例えば、ユーザが、コーヒー店に関する広告を提供され、１０分以内にコーヒー店を訪問する場合、広告と訪問との間の関係は広告主に請求するのに十分である。しかし、ユーザが１か月後までそのコーヒー店を訪問しない場合、関係は広告主に請求するのに十分ではない可能性がある。関係を確立するのに十分である広告を提供することと訪問との間の最大時間は「訪問期間」と呼ばれる。このようにして広告主は、広告主が広告から生じる顧客のトラフィック（ｔｒａｆｆｉｃ）に対してだけ請求されることを保証されることができる。この説明で使用されるように語「訪問課金」は、広告主が、ユーザが広告に関連した物理的訪問位置を訪問するときに広告の代金として請求される請求モデルを意味する。
【０００６】
１つの実施形態では広告システムは、ユーザにとって興味のある場所の地図を表示する位置ベースの検索エンジンに広告を提供することができる。位置ベースの検索エンジンは、ユーザが検索語および／または検索の種類を含む照会を入力することができるモバイル装置に対するユーザインターフェースを提供することができる。例えば、検索の種類は「コーヒー店」であってよく、検索語は「ペストリ（ｐａｓｔｒｙ）」であってよい。検索エンジンサービスは、ブラウズ（ｂｒｏｗｓｅ）し種類を選択するために種類の階層的編成およびユーザインターフェースを提供することができる。ユーザが照会をサブミットするとき、モバイル装置は照会を検索エンジンに転送する。検索エンジンは、ユーザのモバイル装置の位置に基づいてユーザ位置を識別し、照会に一致するユーザの位置の近くの対象となる場所を識別する。例えば、照会「コーヒー店対ペストリ」の場合、検索エンジンは、ユーザ位置から半径５街区以内でペストリを販売するいくつかのコーヒー店およびコーヒーを販売するドーナツ店を識別することができる。次いで検索エンジンは、ユーザ、ユーザの位置、および照会にとって適切である広告を提供するように広告システムに要求する。例えば、広告システムは、ユーザから２街区離れて位置する「Ａｃｍｅコーヒー店」に関する広告を提供することができる。次いで検索エンジンは、強調表示された広告の訪問位置と共に対象となる識別された場所を示す地図をユーザのモバイル装置に提供することができる。ユーザが強調表示された位置を選択するとき（例えば、ポインタ（ｐｏｉｎｔｅｒ）を用いてその上に移動することによってまたは地図上の位置にあるラベル（ｌａｂｅｌ）に対応する装置上のボタンを押すことによって）、モバイル装置は、訪問位置への方向などの広告主についてのより詳細な情報を表示することができる。ユーザが、訪問期間内にそれらのモバイル装置の位置によって示されるその訪問位置に行く場合、広告システムは広告の代金として広告主またはある他の第三者に請求する。
【０００７】
１つの実施形態では広告システムは、ユーザ特定の位置および／または時間にとって適切である広告を提供することができる。例えば、ユーザが、遠い都市に旅行する計画をしている可能性があり、前もってレストランを選択することを望む可能性がある。ユーザは、９８１０１の郵便番号によって示される位置および７月５日午後６時によって示される時間を有する照会「イタリアンレストラン（Ｉｔａｌｉａｎ  ｒｅｓｔａｕｒａｎｔ）」をそれらのモバイル装置を介して入力することができる。検索エンジンは、郵便番号の地域内のイタリアンレストランを識別し、ユーザにレストランの地図を提供することができる。検索エンジンは、その照会、位置、および時間にとって適切である広告を選択するように広告システムに要求することができる。例えば、レストランが昼食のためだけに開店している場合、ユーザ特定の時間が昼食よりはるかに遅いとき、レストランはその広告を提供することを望まない可能性がある。このような場合、広告システムは、現在の時間からユーザ特定の時間にまで及ぶ延長された訪問期間を使用することができる。広告システムは、ユーザ特定の時間の前後の短い期間だけを含むように訪問期間を定義することもできる。
【０００８】
１つの実施形態では広告システムは、ユーザが訪問期間内に訪問位置を訪問したかどうかを決定するためにユーザに提供された広告およびユーザの移動経路を調整する。調整をサポートするために広告システムは、ユーザに提供された広告ごとの項目を有するインプレッション記録を維持することができる。各項目は、ユーザ、広告、訪問位置、および表示時間を識別することができる。広告システムは、各ユーザの移動経路を突きとめることもできる。広告システムは、様々な時間にユーザのモバイル装置からそれらの現在位置を受信することができる。広告システムは、ユーザごとの移動記録として時間および位置の対を格納する。広告システムは、ユーザが訪問期間内に提供された広告の訪問位置に行ったかどうかを決定するためにユーザの移動記録を解析することによって移動経路とインプレッションを調整する。そうである場合、広告システムは、支払うべき訪問の表示を記録する。次いで広告システムは、その広告から生じる支払うべき訪問に基づいて広告主に請求する。広告システムの調整の構成要素は、広告サーバ上またはモバイル装置上に実装されることができる。広告サーバ上に実装される場合、広告システムは、モバイル装置から収集される移動記録情報に基づいて調整を行うために調整の構成要素を定期的に（例えば、毎日）実行することができる。モバイル装置に実装される場合、サーバ上に存在する広告システムの構成要素は、各広告と共に訪問位置および訪問期間をモバイル装置に提供することができる。モバイル装置に実装された調整の構成要素は、モバイル装置が訪問期間内に訪問位置にいるかどうかを決定するためにモバイル装置の位置を訪問位置と比較する。そうである場合、モバイル装置は、支払うべき訪問が生じたことを広告サーバに通知する。
【０００９】
１つの実施形態では広告システムは、広告主特定の広告計画および広告システムの目標の解析に基づいてユーザに提供するために広告を選択する。広告計画は、広告の識別子、訪問位置、入札額、およびユーザに広告を提供するための掲載基準を含む。掲載基準は、ユーザ位置、検索語、検索の種類、ユーザの人口統計、検索時間、モバイル装置の種類などを含むことができる。広告システムが広告の機会を提供されるとき、広告システムは、掲載基準が、広告がユーザに提供されることができる候補広告であることを示す広告を識別する。次いで広告システムは、どの候補広告が広告システムの目標（例えば、利益を最大限にする）を達成する助けをする可能性が最も高いかを識別することができる。広告システムは、どの候補広告が提示のために選択するべきかを決定するときに様々な問題を考慮に入れることができる。例えば、広告システムは、予期される広告のコンバージョンレート（ｃｏｎｖｅｒｓｉｏｎ  ｒａｔｅ）（例えば、ユーザが訪問位置を訪問することになる見込み）、広告の入札額、ユーザの移動方向、ユーザの移動モード（例えば、自動車、自転車、または徒歩）、ユーザの過去のパターンなどを考慮することができる。広告システムは、広告システムの目標の達成でのその値を示す候補広告ごとの目標スコアの生成でこれらの様々な問題を考慮に入れることができる。次いで広告システムは、最高の目標スコアを有する候補広告を提供するように選択する。広告システムは、目標スコアが提供するために選択されるにはしばしば低過ぎる候補広告は非活性化することができる。この種の低い目標スコアは、広告計画が何らかの点で欠陥があるという表示でありうる（例えば、低過ぎる入札額または一般的過ぎるユーザ位置）。
【００１０】
１つの実施形態では広告システムは、他の広告主の代わりであると称されている広告主が、広告を不正に提供しないまたは訪問位置を欺かないことを保証するために認証処理を提供することができる。例えば、詐欺行為は、人が正当な広告主のふりをし、広告主の名の下に広告システムを用いてアカウントを確立するときに生じる可能性がある。次いでその人は、欺いているまたは正当な広告主に対する信用を落としている広告を規定する可能性がある。他の詐欺行為は、店主が、それらの名の下でアカウントを開設するが近くの店の訪問位置を与えるときに生じる可能性がある。例えば、コーヒー店を代表する店主が、店主の広告に関する訪問位置として隣の花屋の位置を与えうる。店主が、その広告から生成されたすべてのトラフィックの代金を支払う必要がないようにすることを期待して誤った訪問位置を提供しうる。このような場合には広告システムは、広告の訪問時間内に花屋を訪問するそれらのユーザの代金として店主に単に請求するであろう。ある種の状態では、花屋への訪問から生じる広告のコンバージョンレートは十分に高い可能性があり、その結果、広告システムはコーヒー店の代わりに依然として広告を掲載するが、店主は、正しい訪問位置が店主によって提供されたならば支払うべき訪問をもたらしているであろう小さい割合の広告の代金として請求されることになる。いくつかの実施形態では広告システムは、その広告の表示から生じる支払うべき訪問の割合が閾値より低い場合に広告を非活性化することになる。
【００１１】
この種の詐欺行為を避ける助けをするために広告システムは、アカウントを開設するおよび／または訪問位置を規定する処理に確認ステップを組み込む。広告システムによって広告主は、店名、物理的位置または訪問位置、請求場所、電子メールアドレス、請求情報、電話番号などの典型的なアカウント情報に関して広告主にプロンプトするウェブインターフェースを使用してアカウントを開設することができる。広告主は、地図上で提供される１組の既知の店の位置から選択することによって訪問位置を選ぶようにプロンプトされることができる。開設が完了され、アカウントが活性化される前に広告システムは、不規則に生成されることができる確認コードを広告主に提供する。次いで広告システムは、広告システムが広告主の店に電話をかける確認処理中にその確認コードを提供するように広告主に要求する。広告主は電話番号を提供することができるが、広告システムは正確であるその電話番号に頼らない。むしろ広告システムは、広告主によって提供される店の物理的位置に基づいて電話番号を識別する。例えば、広告システムは、訪問位置の住所に関連した電話番号を決定するために様々な住所対電話番号のマッピングを使用することができる。あるいは、広告システムは、既知の店の位置を示す地図を生成するために使用される商工名鑑によって提供される訪問位置に関連付けられた電話番号を使用することができる。次いで広告システムは、その電話番号に電話をかけ、誰でも応答する人に確認コードを提供するようにプロンプトする。広告主が正当である場合、広告主は確認コードを提供し、広告システムはアカウントの開設を完了する。しかし、広告主が詐欺を行おうとする場合、呼び出された電話は不正な広告主に関連していないことになる。このような場合、呼に応答する人は、アカウントを開設しようとする試みを認識しておらず、確認コードを提供することができないことになる。したがって、広告システムは、誤った、場合によって不正な店の位置を有するアカウントの開設を完了しないことになる。
【発明を実施するための最良の形態】
【００１２】
図１は、１つの実施形態での広告システムと交信するモバイル装置を示す概略図である。モバイル装置１００は、携帯電話、携帯情報端末、タブレット（ｔａｂｌｅｔ）またはノートブックコンピュータ（ｎｏｔｅｂｏｏｋ  ｃｏｍｐｕｔｅｒ）、ＧＰＳベースの装置などであってよい。モバイル装置は、モバイル装置がユーザに情報を表示するディスプレイ（ｄｉｓｐｌａｙ）１０１を含むことができる。最初にモバイル装置は、ユーザが検索の種類および検索語を含むことができる照会を入力することができる照会ウィンドウをユーザに表示することができる。モバイル装置は、例えば、テキスト通信リンク（例えば、ＳＭＳ）またはＴＣＰ／ＩＰもしくはＨＴＴＰなどのプロトコルを使用するテキストもしくはバイナリ通信リンクを使用して検索エンジンに照会を送信する。モバイル装置は、照会と共にユーザ位置を検索エンジンに提供するためのＧＰＳ構成要素またはネットワークベースの位置構成要素を含むこともできる。さらに、モバイル装置は、ユーザ位置および現在時間を定期的に決定し、広告システムに移動報告（例えば、位置と時間の対）を送信する位置構成要素を含むことができる。照会を受信すると、検索エンジンはユーザ位置周辺の地域の地図を生成し、照会に一致する場所を地図に追加する。広告システムは、ユーザ位置の近くにある照会に一致し、地図上で広告の訪問位置を強調表示する広告を選択することもできる。次いで広告システムは生成された地図をモバイル装置に送信し、モバイル装置はその地図をユーザに表示する。ディスプレイは、地図１０２および照会１０３を含む。この例では地図は、広告主Ａｃｍｅコーヒーに関する広告の訪問位置に対応する強調表示された位置１０４を含む。１つの実施形態では、ユーザが強調表示された位置を選択するとき、モバイル装置は広告主の名前およびその位置への方向などのその位置に関する追加情報１０５を表示する。さらに、モバイル装置は地図上にユーザの現在位置１０６を表示することができ、その結果、ユーザは広告主の位置に対するそれらの位置を容易に知ることができる。広告システムは、追加情報を用いて地図をオーバーレイ（ｏｖｅｒｌａｙ）することができるまたはユーザがこの情報の表示を制御することができるように地図を用いて視覚的制御を行うことができる。他の実施形態ではモバイル装置は、対象となる位置が、従来の検索エンジンがその検索結果としてウェブページへのリンクを表示する方法と同様の方法でテキストで表示されるテキストベースのユーザインターフェースを提供することができる。
【００１３】
図２は、１つの実施形態での広告システムの構成要素を示す構成図である。広告システム２５０は、インターネット２１０などの通信リンクを介して様々な広告主のコンピュータシステム２３０に接続されている。広告システムは、無線キャリア２２５を介してモバイル装置２２０にも接続され、公衆交換電話網（「ＰＳＴＮ」）２４０を介して電話にも接続されている。広告システムは、様々な処理構成要素２６０およびデータストア（ｄａｔａ  ｓｔｏｒｅ）２８０を含む。
【００１４】
広告システムは、アカウント開設の構成要素２６１、広告管理の構成要素２６２、およびウェブサービスインターフェース（ｗｅｂ  ｓｅｒｖｉｃｅｓ  ｉｎｔｅｒｆａｃｅ）の構成要素２６３を含む。アカウント開設の構成要素は、広告主が広告システムを用いてアカウントを開設することができるウェブページを提供する。アカウント開設の構成要素は、広告主の訪問位置を認証するために上述のように確認コードを使用する。広告管理の構成要素は、広告主が、広告計画を規定し、広告計画を変更し、請求情報を検討し、広告統計値を検討するなどができるウェブページを提供する。ウェブサービスインターフェースの構成要素は、広告主がプログラム（ｐｒｏｇｒａｍ）で広告を管理することができるアプリケーションプログラムインターフェース（ａｐｐｌｉｃａｔｉｏｎ  ｐｒｏｇｒａｍ  ｉｎｔｅｒｆａｃｅ）を提供する。大きいコーヒーチェーン店などの広告主は、広告主が広告したい数百の場所を有する可能性がある。広告主は、広告主の本社に位置する部門からすべての場所に関する広告を制御することを望む可能性がある。このような場合、広告主が、場所によって使用されるべき数十万の広告のそれぞれを手動で定義することは困難でありうる。広告主の情報技術部門が、広告システムに広告をプログラムで提供するようにプログラムを開発することができる。アカウント開設の構成要素、広告管理の構成要素、およびウェブサービスインターフェースの構成要素は、図３でより詳細に定義される広告主表２８１、位置表２８２、および広告表２８３内にデータ格納し、広告主表２８１、位置表２８２、および広告表２８３からデータを取り出す。訪問位置が規定されるとき、これらの構成要素は、広告主と無関係である信頼できる機関によって提供される電話番号に位置をマッピングする位置／電話番号地図２８６を使用して訪問位置に関連した電話番号を識別することができる。
【００１５】
広告システムは、移動情報収集の構成要素２６４、ユーザ表２８４、および移動記録表２８５も含む。移動情報収集の構成要素は、モバイル装置から移動報告を受信し、移動記録表内に移動報告ごとの項目を格納する。ユーザ表は、電話番号からユーザにマッピングするユーザごとの項目を含むことができ、その結果、広告システムはある電話番号から送信された移動報告を正しいユーザと対応することができる。あるいは広告システムは、ユーザを識別するためにモバイル装置上にユーザ識別子を格納し、電話番号ではなくこれらの識別子を使用することができる。
【００１６】
広告システムは、位置ベースの検索エンジン２６５、種類ストア２８７、および地図ストア２８８を含むことができる。検索エンジンによってユーザは、種類ストアの種類の中をブラウズし、ユーザ位置、検索の種類、および検索語を含む照会を規定することができる。検索エンジンは、照会を満足するユーザ位置に近い場所を識別し、検索結果と共に提供されるべき広告を選択するように広告選択の構成要素２６６に求める。次いで検索エンジンは、照会を満足する場所を識別し、選択された広告に関連した訪問位置を強調表示するユーザ位置周辺の地域の地図をモバイル装置に提供する。
【００１７】
広告システムは、広告選択の構成要素、候補広告認識の構成要素２６７、および目標スコア生成の構成要素２６８を含むことができる。広告選択の構成要素は、ユーザに提供されることができる広告表から候補広告を識別するように候補広告認識の構成要素に求める。広告選択の構成要素はまた、候補広告ごとの目標スコアを生成するように目標スコア生成の構成要素に求める。次いで広告選択の構成要素は、選択された広告がユーザに提供されていることを示すためにインプレッション記録表２９０を更新する。
【００１８】
広告システムは、調整の構成要素２６９、支払うべき訪問認識の構成要素２７０、および支払うべきイベントストア（ｅｖｅｎｔ  ｓｔｏｒｅ）２９１も含む。調整の構成要素は、支払うべき訪問および支払うべき呼などの支払うべきイベントを識別するためにインプレッション記録表および移動記録表を解析し、支払うべきイベントストア内にそれらのイベントを記録する。広告システムは、ユーザが訪問期間と同一であってよい呼期間内に広告に関連した電話番号にかける（例えば、予約するために）ときに広告の代金として請求することができる。広告システムは、様々な広告のために様々な訪問期間を使用することができる。訪問期間は、広告主によってまたは広告システムによって規定されることができる。広告は、様々な種類の広告に対して様々な広告期間を規定することができる。例えば、コーヒー店に関する広告は３０分の訪問期間を有することができ、レストランに関する広告は１日の最後に終了する訪問期間を有することができる。支払うべきイベントは、訪問期間または他の期間内に広告に関連した店主と取引を行う（例えば、支払いを行う）助けをするためにモバイル装置を使用することを含むこともできる。
【００１９】
広告システムが実装されることができるコンピューティング（ｃｏｍｐｕｔｉｎｇ）装置は、中央処理装置、メモリ（ｍｅｍｏｒｙ）、入力装置（例えば、キーボード（ｋｅｙｂｏａｒｄ）およびポインティング（ｐｏｉｎｔｉｎｇ）装置）、出力装置（例えば、表示装置）、および記憶装置（例えば、ディスクドライブ（ｄｉｓｋ  ｄｒｉｖｅ））を含むことができる。メモリおよび記憶装置は、広告システムを実行する命令を含むことができるコンピュータ可読メディアである。さらに、通信リンク上の信号などのデータ構造およびメッセージ構造は、データ伝送メディアを介して格納されるまたは送信されることができる。インターネット、ローカルエリアネットワーク（ｌｏｃａｌ  ａｒｅａ  ｎｅｔｗｏｒｋ）、広域ネットワーク、または二地点間のダイヤルアップ（ｄｉａｌ−ｕｐ）接続などの様々な通信リンクが使用されることができる。広告システムは、パーソナルコンピュータ（ｐｅｒｓｏｎａｌ  ｃｏｍｐｕｔｅｒ）、携帯電話、携帯情報端末、家庭用電子機器、ホームオートメーション（ｈｏｍｅ  ａｕｔｏｍａｔｉｏｎ）装置などの様々な装置に広告を提供することができる。いくつかの実施形態では、広告が非位置認識の装置を介してユーザに提供されるとき、広告システムは、ユーザが訪問位置を訪問したかどうかを決定するためにそのユーザに対して登録された位置認識の装置を突きとめる。
【００２０】
広告システムは、１つまたは複数のコンピュータまたは他の装置によって実行されるプログラムモジュール（ｐｒｏｇｒａｍ  ｍｏｄｕｌｅ）などのコンピュータ実行可能な命令の一般的な文脈で説明されることができる。概してプログラムモジュールは、特定のタスク（ｔａｓｋ）を実行するまたは特定の抽象データ型を実行するルーチン（ｒｏｕｔｉｎｅ）、プログラム、オブジェクト（ｏｂｊｅｃｔ）、コンポーネント（ｃｏｍｐｏｎｅｎｔ）、データ構造などを含む。典型的にはプログラムモジュールの機能は、様々な実施形態で要望に応じて組み合わされるまたは分配されることができる。例えば、調整の構成要素は、モバイル装置上にまたはサーバ上に実装されることができる。管理の構成要素（例えば、アカウントを開設する）、検索エンジン、広告の構成要素、および調整の構成要素のすべては、様々なコンピュータシステム上でホスト（ｈｏｓｔ）され、様々なサービスプロバイダ（ｓｅｒｖｉｃｅ  ｐｒｏｖｉｄｅｒ）によって提供されることができる。
【００２１】
図３は、１つの実施形態での広告システムの広告主関係の表を示す構成図である。広告システムは、広告主表３１０、広告主ごとの位置表３２０、および広告主の位置ごとの広告表３３０を含むことができる。広告主表は、広告主の識別子、広告主の名前、および請求先住所、電話番号などの他の広告主関係の情報を含む広告主ごとの項目を含むことができる。広告主表は、広告主に関する位置表へのリンクも含む。位置表は、その広告主に関連した訪問位置を識別する。位置表は、位置識別子および訪問位置を含む訪問位置ごとの項目を有することができる。各項目は、その訪問位置に関連した広告計画を定義する広告表へのリンクも含むことができる。広告表の各項目は、広告識別子、入札額、訪問期間、ユーザ位置、および掲載基準を含むことができる。この説明内に示される様々な表は、広告システムのデータの１つの可能性がある論理ビューを提供するだけである。広告システムのデータは、様々なデータ構造（例えば、表、リンクリスト（ｌｉｎｋｅｄ  ｌｉｓｔ）、ハッシュテーブル（ｈａｓｈ  ｔａｂｌｅ）、プレフィックスツリー（ｐｒｅｆｉｘ  ｔｒｅｅ））を使用して表されることができる。様々な表は、様々な方法で分割されるまたは組み合わされることができる。例えば、すべてのユーザの位置表は、ユーザ索引を有する単一のリレーショナル（ｒｅｌａｔｉｏｎａｌ）表内に格納されることができる。さらに、データ構造は、ＳＱＬデータベース（ｄａｔａｂａｓｅ）またはファイルシステム（ｆｉｌｅ  ｓｙｓｔｅｍ）などの様々なデータ管理ツールを使用して編成されることができる。さらに、表にアクセスすることが手続き型アクセスを使用して示される。しかし、アクセスすることは、リレーショナルデータベースの結合などの非手続き型技術を使用することができる。
【００２２】
図４は、１つの実施形態での広告システムの調整関係の表を示す構成図である。広告システムは、インプレッション記録表４０１、ユーザ表４０２、および移動記録表４０３を含むことができる。インプレッション記録表は、ユーザに提供された広告ごとの項目を含む。各項目は、ユーザ識別子、広告主識別子、広告識別子、訪問位置、広告主の電話番号、訪問期間、インプレッション時間などを含む。当業者は、インプレッション記録表が広告システム内の他の表から得られることができるが、計算の効率化のためにインプレッション記録表内に複製される情報を含むことができることを理解することになる。ユーザ表は、ユーザ識別子、ユーザの名前、ユーザの電話番号、ユーザの人口統計などを含むことができるユーザごとの項目を含む。項目は、ユーザのモバイル装置から受信された移動報告ごとの項目を含むユーザに関する移動記録表へのリンクも含むことができる。
【００２３】
図５は、１つの実施形態での広告システムとインターフェースする位置ベースの検索エンジンの処理を示す流れ図である。検索エンジンは、ユーザ識別子およびユーザ位置を受信し、ユーザからの検索の種類および検索語を入力することができる。ブロック（ｂｌｏｃｋ）５０１では、構成要素はモバイル装置からの検索の種類を入力する。ブロック５０２では、構成要素はモバイル装置からの検索語を入力する。ブロック５０３では構成要素は、検索の種類および検索語に関連し、ユーザ位置の近くにある広告主の場所を識別する。ブロック５０４では、構成要素はユーザ位置の周辺の地域に関する地図を生成する。ブロック５０５では構成要素は、検索結果と共に含まれるべき広告を選択するように広告選択の構成要素に求める。ブロック５０６では、構成要素は地図上の選択された広告の訪問位置を強調表示する。ブロック５０７では、構成要素はモバイル装置に地図および広告を出力し、次いで完了する。
【００２４】
図６は、１つの実施形態での広告システムの広告選択の構成要素の処理を示す流れ図である。構成要素は、ユーザ識別子ならびにユーザ位置、検索の種類、任意選択の検索時間、および検索語を含む照会を渡される。任意選択の検索時間は、検索が行われた時間、または前もって計画しているユーザによって選択された今後の時間のいずれかである。ブロック６０１では、構成要素は位置限定の広告を識別する。位置限定の広告は、訪問位置がユーザ位置の近くにある広告である。ブロック６０２〜６０７では構成要素は、各位置限定の広告が候補広告であるかどうかを決定するようにループ（ｌｏｏｐ）し、そうである場合にその広告に対する目標スコアを生成する。ブロック６０２では、構成要素は次の位置限定の広告を選択する。決定ブロック６０３では、すべての位置限定の広告が既に選択されている場合、構成要素はブロック６０８に続き、そうでない場合には構成要素はブロック６０４で続ける。ブロック６０４では、構成要素は候補広告認識の構成要素を求める。決定ブロック６０５では、選択された広告が候補広告である場合、構成要素はブロック６０６で続け、そうでない場合には構成要素は次の位置限定の広告を選択するためにブロック６０２にループする。ブロック６０６では、構成要素は選択された広告を候補広告としてみなす。ブロック６０７では構成要素は、候補広告に対する目標スコアを生成するように目標スコア生成の構成要素に求める。次いで構成要素は、次の位置限定の広告を選択するためにブロック６０２にループする。ブロック６０８では構成要素は、最高の目標スコアを有する候補広告を選択する。ブロック６０９では構成要素は、選択された広告がユーザに提供されていることを示すためのインプレッション記録表を更新する。次いで構成要素は、選択された広告の表示に戻る。
【００２５】
図７は、１つの実施形態での広告システムの候補広告認識の構成要素の処理を示す流れ図である。構成要素は、広告、ユーザ、種類、照会時間、および語の表示を渡され、広告が候補広告であるかどうかを決定する。１つの実施形態では広告システムは、各広告に関連した掲載基準を有することができる。その基準のうちの１つが満足される場合、広告は候補広告である。例えば、基準が、ユーザが２１歳と２９歳との間であり、検索の種類が「衣服」であり、検索語が「カジュアル（ｃａｓｕａｌ）」であることでありうる。同一の広告に対する他の基準が、ユーザが４０歳と６０歳との間であり、検索の種類が「衣服」または「台所」であり、検索語が「贈り物」であることでありうる。広告は、広告の基準が任意の複雑さであることを可能にするようにブール演算子（例えば、ＡＮＤ、ＯＲ、ＸＯＲ、ＮＯＴ）の任意の組合せを受け入れることができる。ブロック７０１では、構成要素は広告に対する次の基準を選択する。決定ブロック７０２では、すべての基準が既に選択されている場合、構成要素は広告が候補広告ではないという表示を戻し、そうでない場合には構成要素はブロック７０３で続ける。ブロック７０３では、構成要素は選択された基準を評価する。ブロック７０４では、選択された基準が満足される場合、構成要素は、広告が候補広告であるという表示を戻し、そうでない場合には構成要素は次の基準を選択するためにブロック７０１にループする。
【００２６】
図８は、１つの実施形態での広告システムの目標スコア生成の構成要素の処理を示す流れ図である。構成要素は、候補広告の表示を渡され、目標スコアを生成する。構成要素は、現在の掲載機会のために広告を選択する値を表す目標スコア額の生成でユーザ、広告、広告主などの様々な属性を考慮することができる。属性は、ユーザの移動履歴、ユーザの検索履歴、ユーザのコンバージョンレートなどを含むことができる。ブロック８０１では構成要素は、現在の移動速度に基づいてユーザの移動モードを検出する。移動モードは、様々な方法で目標スコアに影響を与えることができる。例えば、移動モードが自動車である場合、広告システムは、自動車内の人が引き続き同一方向に進むことより方向を逆にすることはありえないと仮定してユーザによってまさに通り過ぎ去られた訪問位置に関する目標スコアを低減することができる。ブロック８０２では構成要素は、広告に対する正規化された広告コンバージョンレートを取り出す。広告コンバージョンレートは、概してユーザが訪問期間内にその広告の訪問位置を訪問する比率を反映する。正規化された広告コンバージョンレートは、広告の相対的新鮮さ、広告主の広告の全体的なコンバージョンレートなどの様々な要因に基づきうる調整を反映する。ブロック８０３では、構成要素は正規化されたユーザコンバージョンレートを計算する。ユーザコンバージョンレートは、ユーザが過去の経験に基づいて訪問期間内に訪問位置を訪問することになる見込みを示す。正規化されたユーザコンバージョンレートは、平均的な現在の移動速度、移動方向などに基づきうる調整を反映する。ブロック８０４では、構成要素は広告の入札額を取り出す。ブロック８０５では、構成要素は様々な要因に基づいて目標スコア額を計算する。例えば、構成要素は、各要因を０と１との間の数字にマッピングし、重み係数を使用して数字を線形的に組み合わせる。次いで構成要素は目標スコアを戻す。
【００２７】
図９は、１つの実施形態での広告システムの支払うべきイベント識別の構成要素の処理を示す流れ図である。構成要素は、訪問期間内の訪問位置への訪問または広告主の番号への呼などの支払うべきイベントを識別する。構成要素は、ユーザに関する各インプレッション記録項目が対応する支払うべきイベントを有するかどうかを決定することをループする。ブロック９０１では、構成要素はユーザに関する次のインプレッション記録項目を選択する。決定ブロック９０２では、すべてのインプレッション記録項目が既に選択されている場合、構成要素は戻り、そうでない場合には構成要素はブロック９０３で続ける。ブロック９０３では構成要素は、インプレッション時間の直前から訪問期間の終了直後までの移動記録項目を選択する。ブロック９０４では構成要素は、支払うべき訪問が訪問期間内に生じたかどうかを決定するように支払うべき訪問認識の構成要素に求める。決定ブロック９０５では、支払うべき訪問が生じた場合、構成要素はブロック９０６で続け、そうでない場合には構成要素はブロック９０７で続ける。ブロック９０６では構成要素は、訪問が支払い可能であることを記録し、次いで次のインプレッション記録項目を選択するためにブロック９０１にループする。ブロック９０７では構成要素は、訪問期間内の電話記録項目を選択する。電話記録は、ユーザによってなされた各呼に関する項目を含む。ブロック９０８では構成要素は、支払うべき呼が訪問期間内に生じたかどうかを決定する。決定ブロック９０９では、支払うべき呼が生じた場合、構成要素はブロック９１０で続け、そうでない場合には構成要素は次のインプレッション記録項目を選択するためにブロック９０１にループする。ブロック９１０では構成要素は、支払うべき呼を記録し、次いで次のインプレッション記録項目を選択するためにブロック９０１にループする。
【００２８】
図１０は、１つの実施形態での広告システムの支払うべき訪問認識の構成要素の処理を示す流れ図である。構成要素は、支払うべき訪問が広告の提供に関連しているかどうかを決定する。広告システムは、ユーザが移動記録に基づいて訪問位置に行ったかどうかを決定するために様々な技術を使用することができる。例えば、広告システムは、移動記録が、ユーザが訪問位置内にいたことを示す明白な試験を使用することができる。広告システムは、明白な訪問がないときに訪問が推測される推測される訪問試験を使用することもできる。例えば、移動記録は、ユーザが、訪問位置に入るときにそれらの携帯電話の電源を切っていたまたはＧＰＳシステムもしくは無線ネットワークへの接続を失っていた可能性があるとき、ユーザが移動記録を介在することなく時間ｔにさらに時間ｔ＋５分に訪問位置のちょうど外にいたことを示すことができる。そのような場合には広告システムは、ユーザが訪問位置に入ったと推測することができる。他の例として、広告システムが、ユーザが延長された期間に訪問位置のある閾値の距離以内にいたことを検出する場合、広告システムは、ユーザがその訪問位置に行き、訪問位置内にいなかったことがユーザ位置または訪問位置の不正確さの結果でありうると推測することができる。構成要素は、ユーザが広告を提供されるとすぐにまたは訪問期間の終了直前に訪問位置内に行ったことの可能性を説明するためにインプレッション時間の直前および訪問期間の直後の時間を表すことができる移動記録項目を渡される。ブロック１００１では、構成要素は次の移動記録項目を選択する。決定ブロック１００２では、すべての移動記録項目が既に選択されている場合、構成要素は支払うべき訪問が生じなかったという表示を戻し、そうでない場合には構成要素ブロック１００３で続ける。決定ブロック１００３では、明白な訪問が生じた場合、構成要素は支払うべき訪問が生じたという表示を戻し、そうでない場合には構成要素はブロック１００４で続ける。決定ブロック１００４では、推測された訪問が生じた場合、構成要素は支払うべき訪問が生じたという表示を戻し、そうでない場合には構成要素は次の移動記録項目を選択するためにブロック１００１にループする。
【００２９】
ユーザが店の建物を訪問したことを決定するために移動記録項目に頼るのではなく、広告システムは、店への訪問が生じたことを明示的にまたは暗黙的に決定するための他の技術に頼ることもできる。例えば、ユーザが、モバイル装置と店の建物にインストールされている１つまたは複数のビーコン（ｂｅａｃｏｎ）との間の信号の交換によって店を訪問したことが確認されることができる。ビーコンおよびモバイル装置は、店に関連しているもしくは無線装置に関連している固有のコードまたは他の信号を交換するためにいくつかの様々な短距離の無線技術（ブルートゥース（Ｂｌｕｅｔｏｏｔｈ）、ＺｉｇＢｅｅ、ＲＦＩＤ、または均等物）のうちの任意を使用することができる。１つの実施形態ではモバイル装置は、ビーコン装置から店の固有のコードを受信し、ユーザが店の位置に行ったことを確認するために支払うべき訪問認識の構成要素にその後通信されるであろう記録項目を生成することができる。他の実施形態ではモバイル装置は、ビーコンによって検出され、有線ネットワークもしくは無線ネットワークを介して広告システムにその後通信されるであろう固有のコードを送信することができる。ビーコンに店の建物を訪問した識別された無線装置の報告を定期的に通信させることの利点は、この種のシステムが、定期的な報告がないことが、ビーコンがもはや正しく機能していない可能性があることを広告システムのオペレータ（ｏｐｅｒａｔｏｒ）に示すことになるので、店の所有者がビーコンを動作不能にするまたは別の方法で不正に改ざんすることを防止することである。当業者は、あるハンドシェーキング（ｈａｎｄｓｈａｋｉｎｇ）および他の通信が識別処理の一部としてモバイル装置とビーコン装置との間でなされることもでき、いずれかの装置が、支払うべき訪問認識の構成要素と最終的に通信するかにかかわらず通信を開始することができることを理解することになる。前に議論されたように、ユーザが店を訪問したことを確認するために使用されることができるイベントの他の例は、ユーザが店にいる間に完了した金融取引であろう。この種の取引は、取引を行うためのモバイル装置の使用、店でのユーザのクレジットカード（ｃｒｅｄｉｔ−ｃａｒｄ）作業と無線装置の使用記録との自動対応、またはモバイル装置を介してユーザに送信された優待券で商品を買うために精算処理の一部として店によって固有コードを手動で入力することに基づいている可能性がある。
【００３０】
図１１は、１つの実施形態での広告システムのアカウント開設の構成要素の処理を示す流れ図である。ブロック１１０１では構成要素は、広告主からの訪問位置または店の位置を入力する。ブロック１１０２では構成要素は、ユーザの名前およびパスワード（ｐａｓｓｗｏｒｄ）を含むことができる広告主からのアカウント情報を入力する。アカウントが開設された後、広告主は、電話呼ベースの認証処理を通過する必要がなくアカウント情報およびその訪問位置に関する広告計画を更新するためにユーザの名前およびパスワードを使用することができる。しかし、広告システムは、広告主が新しい訪問位置を定義するときに電話呼ベースの再認証を要求することができる。ブロック１１０３では構成要素は、広告主からの広告計画を入力することができる。ブロック１１０４では、構成要素は不規則な確認コードを生成する。ブロック１１０５では構成要素は、広告主に確認コードを提供し、呼が訪問位置に関連した電話番号にかけられ、広告主がアカウントの開設を完了するためにその確認コードを入力する必要があることを広告主に通知する。広告システムは、不規則なテキストメッセージを生成し、広告システムと広告主との間の特定の進行中の対話に応答して電話をかけているのが確かに広告システムであるという保証として、電話がかけられると広告システムがテキストメッセージを広告主に列挙することになるという表示と共に広告主にそのテキストメッセージを提供することもできる。ブロック１１０６では構成要素は、その訪問位置に関連した電話番号を調べる。ブロック１１０７では構成要素は、その電話番号に電話をかける。ブロック１１０８では構成要素は、テキストメッセージを提供し、確認コードに関してプロンプトする。ブロック１１０９では構成要素は、応答者からの確認コードを入力することができる。決定ブロック１１１０では、確認コードが一致する場合、構成要素はブロック１１１１で続け、そうでない場合には構成要素はブロック１１１２で続ける。ブロック１１１１では構成要素は、アカウントを開設としてみなし、次いで完了する。ブロック１１１２では構成要素は、誤りを報告し、次いで完了する。広告システムは、広告主のためにアカウントを開設する人が広告主の代行者であることを保証するために電話呼ベースの認証技術を使用することもできる。例えば、広告システムは、広告主の主要な店の位置（すなわち、訪問位置と異なると仮定する）に関する電話番号を調べ、その電話番号に電話をかけ、確認コードを要求することができる。
【００３１】
前述から、本発明の特定の実施形態が説明のために本明細書で説明されているが、様々な変更形態が本発明の精神および範囲から逸脱することなく作成されることができることは理解されたい。１つの実施形態では広告位置が、１つの装置を介してユーザに広告を提供し、次いで個別の装置を介してユーザの移動を突きとめることができる。例えば、広告システムは、それらのホームコンピュータでユーザに広告を提供し、携帯電話またはＧＰＳ装置を使用してユーザの移動の追跡を提供することができる。用語「広告主」は、人、教育機関、会社、店、非営利組織、政府機関などの広告することを望む任意のエンティティ（ｅｎｔｉｔｙ）も意味する。したがって、本発明は添付の特許請求の範囲によることを除いて限定されない。
【図面の簡単な説明】
【００３２】
【図１】１つの実施形態での広告システムと交信するモバイル装置を示す概略図である。
【図２】１つの実施形態での広告システムの構成要素を示す構成図である。
【図３】１つの実施形態での広告システムの広告主関係の表を示す構成図である。
【図４】１つの実施形態での広告システムの調整関係の表を示す構成図である。
【図５】１つの実施形態での広告システムとインターフェースする位置ベースの検索エンジンの処理を示す流れ図である。
【図６】１つの実施形態での広告システムの広告選択の構成要素の処理を示す流れ図である。
【図７】１つの実施形態での広告システムの候補広告認識の構成要素の処理を示す流れ図である。
【図８】１つの実施形態での広告システムの目標スコア生成の構成要素の処理を示す流れ図である。
【図９】１つの実施形態での広告システムの支払うべきイベント識別の構成要素の処理を示す流れ図である。
【図１０】１つの実施形態での広告システムの支払うべき訪問認識の構成要素の処理を示す流れ図である。
【図１１】１つの実施形態での広告システムのアカウント開設の構成要素の処理を示す流れ図である。
【図１】
2009532749.tif 000003
【図２】
2009532749.tif 000004
【図３】
2009532749.tif 000005
【図４】
2009532749.tif 000006
【図５】
2009532749.tif 000007
【図６】
2009532749.tif 000008
【図７】
2009532749.tif 000009
【図８】
2009532749.tif 000010
【図９】
2009532749.tif 000011
【図１０】
2009532749.tif 000012
【図１１】
2009532749.tif 000013
【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
モバイル装置に広告を提供するためのコンピュータシステム内の方法であって、
モバイル装置のために広告を選択するステップであって、前記広告は関連の訪問位置を有する、前記選択するステップと、
前記モバイル装置に前記広告を提供するステップと、
前記モバイル装置による前記訪問位置への訪問が検出された後に前記広告を提供することの代金として請求するステップと
を備えることを特徴とする方法。
【請求項２】
前記モバイル装置から前記モバイル装置の前記位置の表示を受信するステップをさらに備え、前記コンピュータシステムは、前記訪問位置への前記モバイル装置による前記訪問が前記示された位置の少なくとも一部に基づいて生じたかどうかを自動的に検出することを特徴とする請求項１に記載する方法。
【請求項３】
前記モバイル装置は、全地球測位サービスおよび地上無線ネットワークのうちの少なくとも１つを使用してその位置を決定することを特徴とする請求項２に記載の方法。
【請求項４】
前記モバイル装置は、前記モバイル装置が前記訪問位置から送信された識別情報メッセージを受信することの少なくとも一部に基づいてその位置を決定することを特徴とする請求項２に記載の方法。
【請求項５】
前記モバイル装置への前記広告の前記提供するステップは前記広告に関する前記関連の訪問位置の表示を提供するステップを含み、該方法は、前記訪問位置への前記モバイル装置による前記訪問が生じたという表示を前記モバイル装置から受信するステップをさらに備えることを特徴とする請求項１に記載の方法。
【請求項６】
広告主は、前記訪問が時間ベースの訪問期間内に生じるときに請求されることを特徴とする請求項１に記載の方法。
【請求項７】
前記訪問位置は物理的位置の地域であり、前記訪問位置への前記訪問は、前記モバイル装置が前記地域内にいることを含むことを特徴とする請求項１に記載の方法。
【請求項８】
位置ベースの照会を前記モバイル装置から受信するステップをさらに備え、前記広告は、前記位置ベースの照会に関連した位置に基づいて前記コンピュータシステムによって自動的に選択されることを特徴とする請求項１に記載の方法。
【請求項９】
示された前記広告の前記訪問位置を有する地図を前記モバイル装置に提供するステップをさらに備えることを特徴とする請求項８に記載の方法。
【請求項１０】
請求項１〜９のうちのいずれか一つに記載された前記方法を実行することによってモバイル装置に広告を提供するように構成された１つまたは複数の構成要素を備えることを特徴とするシステム。
【請求項１１】
前記１つまたは複数の構成要素は、訪問位置に関連した広告を格納する広告ストアと、前記広告ストアから前記モバイル装置に提供されるべき前記広告を選択する広告選択構成要素と、前記選択された広告を前記モバイル装置に提供する構成要素と、前記モバイル装置が前記広告を提供されている時間ベースの訪問期間内に前記提供された広告の訪問位置を訪問したかどうかを検出する調整構成要素と、前記モバイル装置が前記時間ベースの訪問期間内に前記広告の前記訪問位置を訪問したことが検出される場合に前記広告を前記モバイル装置に提供することの代金として前記広告に関連した広告主に請求する請求構成要素とを含むことを特徴とする請求項１０に記載のシステム。
【請求項１２】
前記広告は関連の連絡先住所を有し、前記請求構成要素は、前記モバイル装置が前記連絡先住所に通信を送信する場合に前記広告を提供することの代金として請求することを特徴とする請求項１１に記載のシステム。
【請求項１３】
前記請求構成要素による前記広告主への前記請求することは、前記訪問位置への前記モバイル装置による複数の訪問が前記訪問期間内に生じる場合および／または前記モバイル装置が呼期間内に前記連絡先住所に複数の情報を送信する場合でも１度だけ行なわれることを特徴とする請求項１２に記載のシステム。
【請求項１４】
前記調整構成要素は前記モバイル装置上に存在し、前記１つまたは複数の構成要素のうちの少なくとも１つは異なるサーバシステムの中に存在し、前記モバイル装置は、前記モバイル装置が前記時間ベースの訪問期間内に前記提供された広告の前記訪問位置を訪問したという表示を前記サーバシステムに送信することを特徴とする請求項１１に記載のシステム。
【請求項１５】
前記調整構成要素は、前記モバイル装置が、前記モバイル装置が前記広告に関係する取引を行う間に使用されることの少なくとも一部に基づいて前記提供された広告の前記訪問位置を訪問したことを検出することを特徴とする請求項１１に記載のシステム。
【請求項１６】
前記調整構成要素は、前記モバイル装置が、識別情報メッセージが前記モバイル装置と前記訪問位置での装置との間で交換されることの少なくとも一部に基づいて前記提供された広告の前記訪問位置を訪問したことを検出することを特徴とする請求項１１に記載のシステム。
【請求項１７】
前記識別情報メッセージは、前記モバイル装置および位置ビーコン装置のうちの１つからの伝送に基づいて前記モバイル装置と前記訪問位置での前記位置ビーコン装置との間で無線で送信され、前記訪問位置は、無線伝送が首尾よく完了されることができる範囲によって定義される地域であることを特徴とする請求項１６に記載のシステム。
【請求項１８】
前記１つまたは複数の構成要素は、前記モバイル装置の前記位置を様々な時間に受信し、前記調整構成要素によって使用されるために前記位置および時間を格納する移動追跡構成要素をさらに含むことを特徴とする請求項１１に記載のシステム。
【請求項１９】
前記１つまたは複数の構成要素は、位置に基づいた照会を前記モバイル装置から受信する検索構成要素をさらに含み、前記提供された広告が前記照会の前記位置に一致する関連の訪問位置を有し、前記検索構成要素は示された前記広告の前記訪問位置を有する地図を前記モバイル装置に提供することを特徴とする請求項１０に記載のシステム。
【請求項２０】
ユーザから照会を受信し、前記照会および照会位置をサービスに提供する照会構成要素と、
前記照会および前記照会位置に基づいて照会結果を表す地図を前記サービスから受信し、前記地図および前記広告を前記ユーザに表示する地図構成要素であって、前記照会結果は訪問位置を有する広告を含む、地図構成要素と、
前記サービスが、前記モバイル装置が前記受信した広告の前記訪問位置を訪問するかどうかを検出することができるように様々な時間に前記モバイル装置の前記サービス位置に送信する位置構成要素と
を備えることを特徴とするモバイル装置。
【請求項２１】
前記照会位置は、前記ユーザによって示された位置および前記照会が前記ユーザから受信される時間での前記モバイル装置の前記位置のうちの少なくとも１つであることを特徴とする請求項２０に記載のモバイル装置。
【請求項２２】
前記照会構成要素は前記照会に関連した照会時間を前記サービスに提供し、その結果、前記サービスは、前記照会時間に対応する前記選択された広告の少なくとも一部に基づいて前記照会結果と共に含まれる前記広告を選択することができ、前記照会時間は、前記ユーザによって規定される時間、前記照会が前記ユーザから受信される時間、および前記ユーザが前記照会の結果を使用することになる前記ユーザによって示される今後の時間のうちの少なくとも１つであることを特徴とする請求項２０に記載のモバイル装置。
【国際調査報告】
2009532749.tif 000014